(57)【要約】【課題】発光手段を省スペースに配置して遊技盤の背面側に形成された装飾模様を全面にわたって効率よく発光させ、しかも盤面の装飾効果を向上させた遊技機を提供する。【解決手段】透明樹脂板９へ光照射して装飾模様Ｍ１、Ｍ２を発光させる発光手段１３が、遊技盤領域内に設けられる透明樹脂板９の端面顕出部９ａに対応して組み付けられている。【選択図】図３
2009089888.tif 000002
【特許請求の範囲】
【請求項１】
遊技者が前面枠を通じて視認可能に配置された透明樹脂板に端面顕出部に対応して盤面部品が設けられ背面側に装飾模様が設けられた遊技盤を備えた遊技機であって、
前記透明樹脂板へ光照射して装飾模様を発光させる発光手段が、前記端面顕出部に対応して組み付けられている遊技機。
【請求項２】
前記発光手段が前記盤面部品と一体的に組み付けられている請求項１記載の遊技機。
【請求項３】
前記盤面部品に光透過性樹脂からなる装飾部が設けられ、前記発光手段は、透明樹脂板へ光照射して装飾模様を発光させる第１光源と、前記装飾部へ光照射する第２光源を備えた請求項１又は２記載の遊技機。
【請求項４】
前記透明樹脂板の外周端面には、前記発光手段の光を遊技盤内に反射させる反射手段が設けられている請求項１乃至３のいずれか１項記載の遊技機。
【発明の詳細な説明】
【技術分野】
【０００１】
本発明は、透明樹脂板を有する遊技盤に装飾性を持たせた遊技機に関する。
【背景技術】
【０００２】
パチンコ機などの遊技機は、外枠に対して内枠が開閉可能に設けられ、該内枠には前面枠が開閉可能に設けられている。内枠には、前面枠を介して遊技者が視認できる前面位置に遊技盤が着脱可能に組み付けられている。
【０００３】
遊技盤の中央部には図柄表示装置（液晶表示装置）が設けられ、その周囲には釘、レール、スルーチャッカー、風車、アタッカー、電動チューリップなどの盤面部品やアウトロなどが設けられている。遊技盤にはベニヤ板が用いられている遊技機が多いが、近年遊技領域の装飾性を高めるため、遊技領域板に透明樹脂板（例えばアクリル樹脂板）が用いられる。この遊技領域板より後方に複数の導光板（アクリル樹脂板）を重ねて配置されている。各導光板の背面側にはエッチングなどにより凹凸部が形成され、導光板の端面部に配置したＬＥＤより照射した光が反射しながら導光板内を進行して凹凸部で乱反射し遊技盤前方へ反射光が放射することで、装飾効果を高めるようになっている（特許文献１参照）。
【０００４】
また、前面枠の透明窓に光の装飾演出効果を持たせて、遊技における臨場感が非常に高められるパチンコ遊技機も提案されている。これは前面枠の前後２枚のガラス板間に透明板（ポリカーボネイト樹脂板やアクリル樹脂板）を配置し、透明板に設けられた図柄を端面部よりＬＥＤにより光照射して発光表示させるものである（特許文献２参照）。
【特許文献１】特開２００６−２５４９５９号公報
【特許文献２】特開２００５−２４５８０６号公報
【発明の開示】
【発明が解決しようとする課題】
【０００５】
しかしながら、上述した遊技機に設けられる遊技盤は、導光板（透明板)に形成された凹凸部(図柄)を発光させるようになっているが、方形状の導光板（透明板)の外形より外側にＬＥＤ（発光手段）を端面部に向けて配置しなければならないため、遊技盤の全外周面にわたってＬＥＤ(発光手段)を配置することは、部品点数が多く遊技盤が大型化するためスペースを確保することが困難である。よって、遊技盤のうち限られた領域しか装飾配置が行なえないため遊技盤全面にわたっての装飾効果が得られない。また、盤面部品がＬＥＤ（発光手段）の光を遮ってしまい、特に遊技盤中央部では光の届かない領域ができてしまう。
【０００６】
また、遊技盤に設けられる釘、レール、スルーチャッカー、風車、アタッカー、電動チューリップなどの盤面部品は、遊技者側から遊技盤の装飾模様の発光態様を視認する場合にデッドスペースとなるため、発光する盤面の装飾模様とともに装飾効果や演出効果を向上させたいというニーズがある。
【０００７】
本発明の目的は、発光手段を省スペースに配置して遊技盤の背面側に形成された装飾模様を全面にわたって効率よく発光させ、しかも盤面の装飾効果を向上させた遊技機を提供することにある。
【課題を解決するための手段】
【０００８】
本発明は上記目的を達成するため、次の構成を備える。
遊技者が前面枠を通じて視認可能に配置された透明樹脂板に端面顕出部に対応して盤面部品が設けられ背面側に装飾模様が設けられた遊技盤を備えた遊技機であって、前記透明樹脂板へ光照射して装飾模様を発光させる発光手段が、前記端面顕出部に対応して組み付けられていることを特徴とする。
ここで端面顕出部とは、盤面部品が取り付けられるために、遊技盤に形成される凹部、貫通孔若しくは開口部の内周側端面部を意味するものとする。
【０００９】
また、前記発光手段が前記盤面部品と一体的に組み付けられていることを特徴とする。
【００１０】
また、前記盤面部品に光透過性樹脂からなる装飾部が設けられ、前記発光手段は、透明樹脂板へ光照射して装飾模様を発光させる第１光源と、前記装飾部へ光照射する第２光源を備えたことを特徴とする。
【００１１】
また、前記透明樹脂板の外周端面には、前記発光手段の光を遊技盤内に反射させる反射手段が設けられていることを特徴とする。
【００１２】
また、前記発光手段を一体に備えた盤面部品の光照射方向に反射手段を備えた他の盤面部品を設けることもできる。これにより、複数の盤面部品が配置される端面顕出部の間に設けられた装飾模様をより一層明るく照射することができ、装飾効果を高めることができる。
【発明の効果】
【００１３】
上述した遊技機を用いれば、透明樹脂板へ光照射して装飾模様を発光させる発光手段が、遊技盤領域内に設けられる透明樹脂板の端面顕出部に対応して組み付けられているので、遊技盤の外周側に発光手段を設ける必要がなくなり、従来の遊技盤のサイズを変更することなく装飾模様を照射することができる。また、遊技盤領域内に設けられた発光手段より遊技盤の内外へ向けて光照射できるので、遊技盤全面を効率良く光らせることができる。また、装飾模様に対応した位置に発光手段を配置し易くなり、確実に装飾模様へ光照射することができる。
【００１４】
また、発光手段が盤面部品と一体的に組み付けられていると、発光手段の設置スペースを新たに確保する必要がなく遊技盤内の開いたスペースを有効利用して、省スペースで遊技盤を効率よく光照射することができる。また、発光手段が盤面部品と一体的に組み付けられているので、発光手段を組み付ける手間が省け、組み付け工数の簡素化、部品点数を削減して低コスト化を図ることができる。また、遊技盤に複数設けられる盤面部品に発光手段が各々一体的に組み付けられていると、装飾模様を一層鮮やかに光らせて装飾効果を高めることができる。
【００１５】
また、盤面部品に光透過性樹脂からなる装飾部を設け、発光手段は、透明樹脂板へ光照射して装飾模様を発光させる第１光源と、装飾部へ光照射する第２光源を備えていると、遊技者側から遊技盤の装飾模様の発光態様を視認する場合にデッドスペースとなる盤面部品を装飾模様と関連付けて発光させて装飾効果を向上させることができる。また、第１、第２光源は、盤面部品の直近に設けられるので、装飾部や装飾模様を鮮やかに光らせることができるうえに、これら第１、第２光源の発光状態や発光色の組み合わせを変えることで、視覚的に変化に富んだ多彩な演出効果が得られる。
【００１６】
また、透明樹脂板の外周側端面部には前記発光手段の光を遊技盤内に反射させる反射手段が設けられていると、透明樹脂板の外周側端面部より漏れ出す光を遊技盤内に反射させて透明樹脂板の外周縁部まで鮮やかに光らせることができる。
【発明を実施するための最良の形態】
【００１７】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。
遊技機１は、外枠２と遊技盤３が設けられた内枠（図示せず）と、該内枠を覆う前面枠４を備えている。内枠はヒンジ５により外枠２に対して開閉可能に取り付けられている。また、前面枠４は内枠に開閉可能に取り付けられている。前面枠４の中央部には窓部４ａが形成され、該窓部４ａには透明板（ガラス板、透明樹脂板など）が設けられている。
【００１８】
また、前面枠４の下方には遊技球を一時的に貯留する球受け皿６、球受け皿６の左側にタバコの吸殻を収容する灰皿７、球受け皿６の右側に遊技盤３に遊技球を打ち出すためのハンドル８が各々設けられている。
【００１９】
図２及び図３を参照して遊技盤ユニットＵの構成についてより詳細に説明する。
図２において、遊技盤３は例えば方形状の透明樹脂板（アクリル樹脂板、ポリカーボネイト樹脂板など）９を単数又は複数積層して形成されている。透明樹脂板９の背面側には、機械加工、レーザー加工などにより装飾模様Ｍ１，Ｍ２が形成されている。装飾模様Ｍ２は図形Ｔの一部として描かれている。
【００２０】
また、図３において、遊技盤３の背面側には裏ユニット１０が設けられている。裏ユニット１０は背面カバー１１を備えている。背面カバー１１は、前面側が開口した筐体形状をしており、背面側に開口部１１ａが設けられている。背面カバー１１内には、光透過性樹脂材よりなる装飾部材１２が設けられている。装飾部材１２は背面側に設けられた発光基板１３より光照射されて発光するようになっている。また、背面カバー１１には図柄表示装置（液晶表示装置）１４が開口部１１ａを通じて背面側より一体に組み付けられている。遊技盤３は裏ユニット１０の前面側に一体に組み付けられて遊技盤ユニットＵを形成している。遊技盤ユニットＵは内枠に着脱可能に組み付けられる。
【００２１】
図２において、透明樹脂板９の中央窓部１５を形成する内周側端面部（端面顕出部）９ａには飾り枠部１６が設けられている。透明樹脂板９の中央窓部１５は凹面部若しくは開口部であり背面側の図柄表示装置１４や装飾部材１２（図３参照）が視認可能に配置されている。透明樹脂板９の前面側には、上記飾り枠部１６のほかに、釘１７、スルーチャッカー１８、サイドランプ（チャッカー）１９、風車２０、電動チューリップ２１、アタッカー２２、レール２３などの盤面部品やアウトロ２４などが設けられている。なお、ここでいう盤面部品とは遊技盤３に設けられるあらゆる部材を示し、例えばアウト口２４に設けられる飾り部材も含む。
【００２２】
次に、遊技盤３の構成について図２乃至図４を参照して説明する。
図３において、透明樹脂板９へ光照射して装飾模様Ｍ１，Ｍ２（図２参照）を発光させる発光手段が、遊技盤領域内に設けられた内周側端面部（端面顕出部）９ａに対応して飾り枠部１６に設けられている。
【００２３】
具体的には、図３において、飾り枠部１６は、透明樹脂板９の内周側端面部９ａに対応して設けられる枠体部１６ａと透明樹脂板９の前面側に設けられる前側装飾部１６ｂを一体に備えている。枠体部１６ａは断面コ字状に形成され、外壁部１６ｃを内周側端面部９ａに対向させ、内壁部１６ｄを中央窓部１５に臨ませて設けられている。前側装飾部１６ｂは、透明樹脂板９の前面側に盤面部品と共に設けられている。飾り枠部１６は、前面側からビス止めされて透明樹脂板９に組み付けられる。飾り枠部１６は、例えばアクリル樹脂材、ポリカーボネイト樹脂材などの光透過性樹脂材が好適に用いられる。
【００２４】
発光基板（発光手段）２５は、飾り枠部１６の枠体部１６ａ内に組み付けられる。発光基板２５としては、枠体形状に沿って配設可能なフレキシブル基板（ＦＰＣ）が好適に用いられる。発光基板２５の一方面には外周側光源２６が外壁部１６ｃに向けて設けられ、他方面には内周側光源２７が内壁部１６ｄに向けて各々設けられている。外周側光源２６及び内周側光源２７は、単色又はフルカラーのＬＥＤが好適に用いられる。このように、同一発光基板２５に外周側光源２６と内周側光源２７を併設すると、部品点数の削減により小型化、省スペース化を図ることができるとともに、コストの低減化も図ることができる。
【００２５】
図３において、発光基板２５に設けられた外周側光源２６と内周側光源２７を点灯すると、外周側光源２６は外壁部１６ｃを介して透明樹脂板９の内周側端面部９ａに向けて光照射し、背面側の装飾模様Ｍ１，Ｍ２（ハッチング部）を発光させる（図２参照）。また、内周側光源２７は、内壁部１６ｄを介して透明樹脂板９の中央窓部１５に向けて光照射する。
【００２６】
上記構成によれば、遊技盤３の外周側に発光手段を設ける必要がなくなるので、従来の遊技盤のサイズを変更することなく遊技盤３に設けられた装飾模様Ｍ１，Ｍ２を発光させることができる。また、遊技盤領域内に設けられた発光手段より遊技盤３の内外へ向けて光照射できるので、遊技盤全面を効率良く光らせることができる。
【００２７】
また、図４において、発光手段は、盤面部品と一体的に組み付けられていても良い。例えば、電動チューリップ２１の背面側には発光基板（発光手段）３０が一体に組み付けられている。透明樹脂板９には取付孔２９が設けられており、該取付孔２９に電動チューリップ２１が前面側より組み付けられている。電動チューリップ２１の前面部には光透過性樹脂からなる装飾部２１ａが設けられている。また、電動チューリップ２１は、背面側に設けられたソレノイド２１ｂにより開閉駆動される。
【００２８】
発光基板３０には透明樹脂板９へ光照射して装飾模様Ｍ２（図２参照）を発光させる第１光源３１と、装飾部２１ａへ光照射する第２光源３２を備えている。透明樹脂板９の背面側に形成された装飾模様Ｍ２は、図形Ｔと関連付けて形成されている（例えば図２において顔の図形Ｔの一部である目や口を構成している）。第１光源３１及び第２光源３２は、単色又はフルカラーのＬＥＤが好適に用いられる。
【００２９】
図４において、発光基板３０に設けられた第１光源３１と第２光源３２を点灯すると、第１光源３１は透明樹脂板９の孔壁面（端面顕出部）９ｂに向けて光照射して背面側の装飾模様Ｍ１、Ｍ２（ハッチング部）を発光させる（図２参照）。また、第２光源３２は、装飾部２１ａへ光照射して前面側へ発光させる。
【００３０】
このとき、飾り枠部１６に設けられた外周側光源２６や電動チューリップ２１の第１光源３１が、装飾模様Ｍ１，Ｍ２を発光させ、第２光源３２が装飾部２１ａを各々発光させる。また外周側光源２６は、透明樹脂板９へ光照射する際に、取付孔２９に設けられた電動チューリップ２１の外周部２１ｃへ光照射して光らせることもできる。
【００３１】
このように遊技者側から遊技盤３を見てデッドスペースとなる盤面部品を、図形Ｔを構成する装飾模様Ｍ２や盤面部品自体の装飾部２１ａと装飾模様Ｍ１を関連付けて発光させると装飾効果や演出効果を増大させることができる。また、第１、第２光源３１，３２は、盤面部品の直近に設けられるので、装飾模様Ｍ２や装飾部２１ａを鮮やかに光らせることができるうえに、これら第１、第２光源３１，３２や外周側光源２６及び内周側光源２７の発光状態や発光色の組み合わせを変えることで、より視覚的に変化に富んだ多彩な演出効果が得られる。
【００３２】
尚、発光手段は、電動チューリップ２１と一体に組み付けられていたが、他の盤面部品、例えばサイドランプ１９やアタッカー２２に一体に組み付けられていても良く、或いはこれらの部品すべてに一体に組み付けられていてもよい。また、発光手段が設けられる端面顕出部に対応する部位は、貫通孔に限らず凹部であっても良い。
【００３３】
このように発光手段が盤面部品と一体的に組み付けられていると、発光手段を組み付ける手間が省け、組み付け工数の簡素化、部品点数を削減して低コスト化を図ることができる。また、遊技盤３に複数設けられる盤面部品に発光手段が一体的に組み付けられていると、装飾模様Ｍ１，Ｍ２を一層鮮やかに光らせ、図形Ｔを際立たせて装飾効果を高めることができる。
【００３４】
また、図３において透明樹脂板９の外周側端面部９ｃには反射シート（反射手段）３３が設けられている。これにより、外周側光源部２６や第１光源３０により透明樹脂板９へ入射して外周側端面部９ｃより漏れ出す光を反射シート３３にて反射させて透明樹脂板９の外周縁部まで鮮やかに光らせることができる。
【００３５】
また、図５において、透明樹脂板９の遊技領域内で電動チューリップ２１の近傍に設けられるアタッカー２２の台板部２２ａに反射シート（反射手段）３９が設けられていてもよい。この場合には、電動チューリップ２１に一体に設けられた第１光源３１より透明樹脂板９へ照射された光を反射シート３９で反射することで、外周側光源２６と共に電動チューリップ２１の周囲を明るく照らして装飾効果を高めることができる。また、盤面部品に一体に設けられた光源から照射された光を他の盤面部品に備えた反射シート３９で拡散させることができるので、盤面部品の周囲を部分的に明るく照射することができる。
【００３６】
次に図６乃至図８を参照して、遊技盤ユニットＵの他例について説明する。本実施例は、遊技盤３を構成する透明遊技板９を複数層重ねあわせたものが用いられる。図６において、透明樹脂板９は２層構成（９Ａ、９Ｂ）になっている。飾り枠部１６は枠体部１６ａと前側装飾部１６ｂを一体に備えている。枠体部１６ａは外壁部１６ｃを各層透明樹脂板９Ａ、９Ｂの内周側端面部（端面顕出部）９ａに対向させ、内壁部１６ｄを中央窓部１５に臨ませて設けられている。枠体部１６ａ内には発光基板（発光手段）２５が設けられている。発光基板２５の一方面には外周側光源２６が外壁部１６ｃに向けて各々設けられている。また、発光基板２５の他方面には、内周側光源２７が内壁部１６ｄに向けて設けられている。更には、透明樹脂板９の外周側端面部９ｃには反射シート３３が各々設けられている。
【００３７】
図７（ａ）は、１層目の透明樹脂板９Ａを示す。透明樹脂板９Ａの前面側には、飾り枠部１６のほかに、釘１７、スルーチャッカー１８、サイドランプ（チャッカー）１９、風車２０、電動チューリップ２１、アタッカー２２、レール２３などの盤面部品やアウトロ２４などが設けられている。また、透明樹脂板９Ａの背面側には、第１装飾模様Ｍ１，Ｍ２が設けられている。第１装飾模様Ｍ２は図形Ｔ１の一部として描かれている。
【００３８】
図７（ｂ）は２層目の透明樹脂板９Ｂを示す。透明樹脂板９Ｂには盤面部品（スルーチャッカー１８、サイドランプ１９、電動チューリップ２１、アタッカー２２）が組み付けられる貫通孔３４やアウトロ２４に対応した貫通孔３６が設けられている。また、透明樹脂板９Ｂの背面側には、第２装飾模様Ｍ３，Ｍ４が設けられている。第２装飾模様Ｍ４は図形Ｔ２の一部として描かれている。
【００３９】
図８は、図７（ａ）（ｂ）の透明樹脂板９Ａ、９Ｂを重ね合わせてなる透明樹脂板９を備えた遊技盤ユニットＵを正面視した状態を示す。第１装飾模様Ｍ１と第２装飾模様Ｍ３は交互に配置され、第１装飾模様Ｍ２と第２装飾模用Ｍ４及び図形Ｔ１と図形Ｔ２は互いに重なり合わって配置されている。図８の拡大図に示すように、外周側光源２６は、第１装飾模様Ｍ１と第２装飾模様Ｍ３の交互配置に合わせて発光基板２５上で千鳥状に設けられる。
【００４０】
このように、透明樹脂板９の複数層に設けられた第１装飾模様Ｍ１と第２装飾模様Ｍ３どうしの関連付けによる表示や図形Ｔ１，Ｔ２を構成する第１装飾模様Ｍ２と第２装飾模様Ｍ４どうしの重なり表示を行なうことや、各光源の発光状態を選択したり、盤面部品の発光と関連付けて表示したりすることによって、遊技盤３の遊技領域全面を利用して立体的で迫力ある演出を楽しむことができる。
【００４１】
次に、遊技盤ユニットＵの更なる他例について図９を参照して説明する。透明樹脂板９へ光照射して装飾模様Ｍ１，Ｍ２（図２参照）を発光させる発光手段は、飾り枠部１６内や盤面部品と一体に限らず、遊技盤領域内に設けられる透明樹脂板９の端面顕出部に対応したいずれかの部位に組み付けられればよい。
【００４２】
例えば、図９において、発光手段は、遊技盤領域内に設けられた内周側端面部（端面顕出部）９ａに対応して設けられる取付部材３５に組み付けられている。具体的には、取付部材３５は突出部３５ａと保持部３５ｂが交差する断面Ｔ字状に形成されている。突出部３５ａは透明樹脂板９の内周側端面部９ａに対向して設けられ、保持部３５ｂは透明樹脂板９の背面側に当接して組み付けられる。取付部材３５は、例えばアクリル樹脂材、ポリカーボネイト樹脂材などの光透過性樹脂材が好適に用いられる。
【００４３】
飾り枠部１６は、Ｌ字状に形成され背面カバー１１内に向けて延設される枠体部１６ａと透明樹脂板９の前面側に設けられる前側装飾部１６ｂを一体に備えている。飾り枠部１６は前側装飾部１６ｂと保持部３５ｂで透明樹脂板９を挟み込んだ状態でビス止めされて一体に組み付けられる。
【００４４】
また、発光基板（発光手段）２５は、枠体部１６ａ、突出部３５ａ及び保持部３５ｂに囲まれた空間部３７に組み付けられる。発光基板２５は、空間部３７内に設けられた基板取付部３８と保持部３５ｂに挟み込まれて組み付けられる。発光基板２５には、突出部３５ａに向けて外周側光源２６が、枠体部１６ａに向けて内周側光源２７が各々設けられている。
【００４５】
発光基板２５に設けられた外周側光源２６と内周側光源２７を点灯すると、外周側光源２６は突出部３５ａを介して透明樹脂板９の内周側端面部９ａに向けて光照射して背面側の装飾模様Ｍ１，Ｍ２（ハッチング部）を発光させる（図２参照）。また、内周側光源２７は、枠体部１６ａを介して透明樹脂板９の中央窓部１５に向けて光照射する。
【００４６】
なお、本発明では遊技機の一例としてパチンコ遊技機について説明したが、スマートボールやアレンジボールなど他の遊技機にも適用できる。
【図面の簡単な説明】
【００４７】
【図１】遊技機の正面透視図である。
【図２】遊技盤ユニットの正面透視図である。
【図３】遊技盤ユニットの縦断面図である。
【図４】盤面部品を含む透明樹脂板の縦断面図である。
【図５】盤面部品を含む透明樹脂板の縦断面図である。
【図６】他例に係る遊技盤ユニットの縦断面図である。
【図７】１層目及び２層目の透明樹脂板の正面図である。
【図８】図６の透明樹脂板を積層した遊技盤ユニットの正面透視図である。
【図９】他例に係る遊技盤ユニットの縦断面図である。
【符号の説明】
【００４８】
Ｕ  遊技盤ユニット
１  遊技機  
２  外枠  
３  遊技盤  
４  前面枠  
４ａ  窓部  
５  ヒンジ  
６  球受け皿  
７  灰皿  
８  ハンドル  
９、９Ａ、９Ｂ  透明樹脂板  
９ａ  内周側端面部  
９ｂ  孔壁面  
９ｃ  外周側端面部  
１０  裏ユニット  
１１  背面カバー  
１１ａ  開口部
１２  装飾部材  
１３、２５、３０  発光基板  
１４  図柄表示装置  
１５  中央窓部
１６  飾り枠部  
１６ａ  枠体部  
１６ｂ  前側装飾部  
１６ｃ  外壁部
１６ｄ  内壁部
１７  釘  
１８  スルーチャッカー  
１９  サイドランプ  
２０  風車  
２１  電動チューリップ  
２１ａ  装飾部  
２１ｂ  ソレノイド  
２１ｃ  外周部
２２  アタッカー  
２２ａ  台板部
２３  レール  
２４  アウトロ  
２６  外周側光源  
２７  内周側光源  
２９  取付孔  
３１  第１光源  
３２  第２光源  
３３、３９  反射シート  
３４、３６  貫通孔
３５  取付部材
３５ａ  突出部
３５ｂ  保持部
３７  空間部
３８  基板取付部
【図１】
2009089888.tif 000003
【図２】
2009089888.tif 000004
【図３】
2009089888.tif 000005
【図４】
2009089888.tif 000006
【図５】
2009089888.tif 000007
【図６】
2009089888.tif 000008
【図７】
2009089888.tif 000009
【図８】
2009089888.tif 000010
【図９】
2009089888.tif 000011